(57)【要約】【課題】多数の区画を一枚の板材を折り曲げるだけで組立て形成することができ、しかも効率よく組立作業を行うことができると共に、板材の材料コストも低減することができる仕切体を提供する。【解決手段】第１仕切組立部１と、第１仕切組立部１に対して上下対称の構成を有する第２仕切組立部２とを、互いに折返線２６を介して連設する。第１仕切組立部１と、第２仕切組立部２とを組立てた後に、折返線２６を介して折返し、多数の区画を備える仕切体を形成する。【選択図】図２
2007197017.tif 000002
【特許請求の範囲】
【請求項１】
大略矩形状の一枚の板材を折り曲げて平面視井桁状に組立てられ、箱内に収容して箱の内部を複数の略同一形状の区画に仕切る仕切体であって、
第１仕切組立部１と第２仕切組立部２とを備え、
第１仕切組立部１は、第１横仕切板５と、第１横仕切板５の右側縁に連設された第１横仕切片６と、第１横仕切板５の左側縁に連設された第２横仕切片７と、第１横仕切片６の上下に位置する第１横仕切板５の右側縁に上下一対の第１折目線８ａ，８ｂを介して連設された第１縦仕切板９ａ，９ｂと、夫々の第１縦仕切板９ａ，９ｂの右側縁に連設された第１縦仕切片１０ａ，１０ｂと、夫々の第１縦仕切板９ａ，９ｂの左側縁に連設されて第１横仕切板５の上下縁に沿って突出する第２縦仕切片１１ａ，１１ｂと、両第１縦仕切片１０ａ，１０ｂの右側縁に一対の第２折目線１２ａ，１２ｂを介して左側縁の上下が連設された第２横仕切板１３と、第２横仕切板１３の右側縁に連設された第３横仕切片１４と、第２横仕切板１３の左側縁の上下の第２折目線１２ａ，１２ｂの間に連設されて上下の第１縦仕切片１０ａ，１０ｂの間に突出する第４横仕切片１５と、第３横仕切片１４の上下に位置する第２横仕切板１３の右側縁に上下一対の第３折目線１６ａ，１６ｂを介して連設された第２縦仕切板１７ａ，１７ｂと、夫々の第２縦仕切板１７ａ，１７ｂの右側縁に連設された第３縦仕切片１８ａ，１８ｂと、夫々の第３縦仕切片１８ａ，１８ｂの右側縁に連設された第４縦仕切片１９ａ，１９ｂと、両第２縦仕切板１７ａ，１７ｂの右側縁の内側に一対の第４折目線２２ａ，２２ｂを介して左側縁の上下が連設されて上下の第３縦仕切片１８ａ，１８ｂの間に位置する第３横仕切板２３と、第３横仕切板２３の右側縁に連設された第５横仕切片２４と、第３横仕切板２３の左側縁に連設されて上下の第２縦仕切板１７ａ，１７ｂの間に突出する第６横仕切片２５とを備え、
第２仕切組立部２は、第１仕切組立部１と上下対称となる同一形状に形成されていると共に、第１仕切組立部１の第２横仕切板１３の下縁に折返線２６を介して第２仕切組立部２の第２横仕切板１３が連設され、
第１仕切組立部１と第２仕切組立部２との夫々において、両第１縦仕切板９ａ，９ｂが第１折目線８ａ，８ｂに沿って第１横仕切板５に対して直角に折り曲げられ、第２横仕切板１３が第２折目線１２ａ，１２ｂに沿って両第１縦仕切片１０ａ，１０ｂに対して直角に折り曲げられて第１横仕切板５に対向し、両第２縦仕切板１７ａ，１７ｂが第３折目線１６ａ，１６ｂに沿って第２横仕切板１３に対して直角に折り曲げられて、両第３縦仕切片１８ａ，１８ｂと第４縦仕切片１９ａ，１９ｂとの境界位置に第１横仕切板５と第２横仕切片７との境界位置が挟み込まれ、第３横仕切板２３が第４折目線２２ａ，２２ｂに沿って両第２縦仕切板１７ａ，１７ｂに対して直角に折り曲げられて、両第１縦仕切片１０ａ，１０ｂの間に第５横仕切片２４が挿通され、
更に、第２仕切組立部２の第２横仕切板１３を折返線２６に沿って折り返されて第１仕切組立部１の第２横仕切板１３の外面に重合してなることを特徴とする仕切体。
【請求項２】
前記第１仕切組立部１の第２横仕切片７の左側縁には、第１仕切組立部１と左右対称となる同一形状に形成された第３仕切組立部３の第２横仕切片７が連設されており、
前記第２仕切組立部２の第２横仕切片７の左側縁には、第２仕切組立部２と左右対称となる同一形状に形成された第４仕切組立部４の第２横仕切片７が連設されていることを特徴とする請求項１記載の仕切体。
【請求項３】
前記第１仕切組立部１の第２横仕切片７と前記第３仕切組立部３の第２横仕切片７との境界、及び前記第２仕切組立部２の第２横仕切片７と前記第４仕切組立部４の第２横仕切片７との境界に沿って折畳用折目線２７を設けたことを特徴とする請求項２記載の仕切体。
【請求項４】
組立状態で少なくとも下方に位置する前記各縦仕切板９ｂ，１７ｂ及び前記各縦仕切片１０ｂ，１１ｂ，１８ｂ，１９ｂの夫々の上縁には、大略Ｖ字状の切欠き２８が形成されていることを特徴とする請求項１乃至３の何れか１項記載の仕切体。
【発明の詳細な説明】
【技術分野】
【０００１】
本発明は、箱内に収容して箱の内部を複数の略同一形状の区画に仕切る仕切体に関する。
【背景技術】
【０００２】
複数の物品を箱内に収納するとき、各物品同士の接触を防止するために、箱内を複数に区画する仕切体が用いられる。従来、この種の仕切体としては、段ボール板紙によって形成された複数枚の横仕切板と複数枚の縦仕切板とを互いに交差させて平面視井桁状に組むことによって形成されるものが知られている。
【０００３】
しかし、横仕切板と縦仕切板とを互いに交差させて組立てる仕切体において、区画数を増加させるためには横仕切板及び縦仕切板の枚数を増加させなければならず、部品点数の増加に伴って組立作業工数も増加するので、コスト高となる不都合がある。
【０００４】
また、一対の横仕切板を底板の両側に連設して両横仕切板を互いに平行に起立させ、底板の略中央部に連設された単一の縦仕切板を起立させて両横仕切板に交差させることによって、一枚の板紙から形成される仕切体が知られている（例えば、特許文献１参照）。
【０００５】
しかし、この構造では、一対の横仕切板と単一の縦仕切板を一体に備える一枚の板紙から形成することができるので、部品点数の増加が抑えられ、組立工数も削減することができる反面、一枚の板紙からの組立を維持して区画数を多数（具体的には１８区画や３０区画といった区画数）に増加させることは困難である不都合がある。
【特許文献１】実開昭６１−８６２１８号公報（第１図〜第３図）
【発明の開示】
【発明が解決しようとする課題】
【０００６】
かかる不都合を解消して、本発明は、１８又は３０といった多数の区画を一枚の板材を折り曲げるだけで組立て形成することができ、しかも効率よく組立作業を行うことができると共に、板材の材料コストも低減することができる仕切体を提供することを目的とする。
【課題を解決するための手段】
【０００７】
かかる目的を達成するために、本発明は、大略矩形状の一枚の板材を折り曲げて平面視井桁状に組立てられ、箱内に収容して箱の内部を複数の略同一形状の区画に仕切る仕切体であって、第１仕切組立部１と第２仕切組立部２とを備え、第１仕切組立部１は、第１横仕切板５と、第１横仕切板５の右側縁に連設された第１横仕切片６と、第１横仕切板５の左側縁に連設された第２横仕切片７と、第１横仕切片６の上下に位置する第１横仕切板５の右側縁に上下一対の第１折目線８ａ，８ｂを介して連設された第１縦仕切板９ａ，９ｂと、夫々の第１縦仕切板９ａ，９ｂの右側縁に連設された第１縦仕切片１０ａ，１０ｂと、夫々の第１縦仕切板９ａ，９ｂの左側縁に連設されて第１横仕切板５の上下縁に沿って突出する第２縦仕切片１１ａ，１１ｂと、両第１縦仕切片１０ａ，１０ｂの右側縁に一対の第２折目線１２ａ，１２ｂを介して左側縁の上下が連設された第２横仕切板１３と、第２横仕切板１３の右側縁に連設された第３横仕切片１４と、第２横仕切板１３の左側縁の上下の第２折目線１２ａ，１２ｂの間に連設されて上下の第１縦仕切片１０ａ，１０ｂの間に突出する第４横仕切片１５と、第３横仕切片１４の上下に位置する第２横仕切板１３の右側縁に上下一対の第３折目線１６ａ，１６ｂを介して連設された第２縦仕切板１７ａ，１７ｂと、夫々の第２縦仕切板１７ａ，１７ｂの右側縁に連設された第３縦仕切片１８ａ，１８ｂと、夫々の第３縦仕切片１８ａ，１８ｂの右側縁に連設された第４縦仕切片１９ａ，１９ｂと、両第２縦仕切板１７ａ，１７ｂの右側縁の内側に一対の第４折目線２２ａ，２２ｂを介して左側縁の上下が連設されて上下の第３縦仕切片１８ａ，１８ｂの間に位置する第３横仕切板２３と、第３横仕切板２３の右側縁に連設された第５横仕切片２４と、第３横仕切板２３の左側縁に連設されて上下の第２縦仕切板１７ａ，１７ｂの間に突出する第６横仕切片２５とを備え、第２仕切組立部２は、第１仕切組立部１と上下対称となる同一形状に形成されていると共に、第１仕切組立部１の第２横仕切板１３の下縁に折返線２６を介して第２仕切組立部２の第２横仕切板１３が連設され、第１仕切組立部１と第２仕切組立部２との夫々において、両第１縦仕切板９ａ，９ｂが第１折目線８ａ，８ｂに沿って第１横仕切板５に対して直角に折り曲げられ、第２横仕切板１３が第２折目線１２ａ，１２ｂに沿って両第１縦仕切片１０ａ，１０ｂに対して直角に折り曲げられて第１横仕切板５に対向し、両第２縦仕切板１７ａ，１７ｂが第３折目線１６ａ，１６ｂに沿って第２横仕切板１３に対して直角に折り曲げられて、両第３縦仕切片１８ａ，１８ｂと第４縦仕切片１９ａ，１９ｂとの境界位置に第１横仕切板５と第２横仕切片７との境界位置が挟み込まれ、第３横仕切板２３が第４折目線２２ａ，２２ｂに沿って両第２縦仕切板１７ａ，１７ｂに対して直角に折り曲げられて、両第１縦仕切片１０ａ，１０ｂの間に第５横仕切片２４が挿通され、更に、第２仕切組立部２の第２横仕切板１３が折返線２６に沿って折り返されて第１仕切組立部１の第２横仕切板１３の外面に重合してなることを特徴とする。
【０００８】
本発明の仕切体は、展開状態において第１仕切組立部１の第２横仕切板１３と第２仕切組立部２の第２横仕切板１３とが折返線２６を介して連設されている。第１仕切組立部１は、展開状態において、第１横仕切板５と第２横仕切板１３とが第１縦仕切板９ａ，９ｂを介して連設され、第２横仕切板１３と第３横仕切板２３とが第２縦仕切板１７ａ，１７ｂを介して連設されている。そして、第２仕切組立部２は、展開状態において、第１仕切組立部１と上下対称となる同一形状に形成されている。これにより、第１仕切組立部１と第２仕切組立部２とを同時に組立てた後に、折返線２６に沿って折り返すことで多数の区画が得られる仕切体を容易に形成することができる。
【０００９】
即ち、第１仕切組立部１を組立てるときには、先ず、第１折目線８ａ，８ｂ、第２折目線１２ａ，１２ｂ、及び第３折目線１６ａ，１６ｂに沿って各仕切板を夫々同一方向に折り曲げる。この際、これらの折目線が直角となるに先立って、第４折目線２２ａ，２２ｂに沿って第３横仕切板２３を第２縦仕切板１７ａ，１７ｂに対して一旦鋭角に折り曲げ、両第１縦仕切片１０ａ，１０ｂの間に第５横仕切片２４の先端部を挿通させておく。そして、第１折目線８ａ，８ｂ、第２折目線１２ａ，１２ｂ、及び第３折目線１６ａ，１６ｂに沿って各仕切板を直角に折り曲げて、第１横仕切板５と第２横仕切片７との境界位置を、両第３縦仕切片１８ａ，１８ｂと第４縦仕切片１９ａ，１９ｂとの境界位置に挟み込ませる。これにより、各横仕切板及び各横仕切片と、各縦仕切板及び各縦仕切片とが互いに直交する形状に組立てられ、９の区画を有する第１仕切組立部１が形成される。第２仕切組立部２においても、第１仕切組立部１と同様にして組立られ、９の区画が形成される。
【００１０】
その後、折返線２６に沿って折り返し、第２仕切組立部２の第２横仕切板１３を第１仕切組立部１の第２横仕切板１３の外面に重合させることで、計１８の区画を有する仕切体が形成される。このように、本発明によれば、一枚の板材を折り曲げるだけで容易に組立てることができるだけでなく、部品点数を増加させることなく多数の区画を形成することができる。
【００１１】
また、本発明において、前記第１仕切組立部１の第２横仕切片７の左側縁には、第１仕切組立部１と左右対称となる同一形状に形成された第３仕切組立部３の第２横仕切片７が連設されており、前記第２仕切組立部２の第２横仕切片７の左側縁には、第２仕切組立部２と左右対称となる同一形状に形成された第４仕切組立部４の第２横仕切片７が連設されていることを特徴とする。
【００１２】
これによれば、先ず、第１仕切組立部１と第２仕切組立部２とを夫々組立てると共に、同様にして、左右対称の第３仕切組立部３と第４仕切組立部４とを夫々組立てる。次いで、第２仕切組立部２の第２横仕切板１３を折返線２６に沿って折り返して第１仕切組立部１の第２横仕切板１３の外面に重合させ、同時に、第４仕切組立部４の第２横仕切板１３を折返線２６に沿って折り返して第３仕切組立部３の第２横仕切板１３の外面に重合させる。こうすることにより、計３０の区画を有する仕切体が形成される。このように、本発明によれば、一枚の板材を折り曲げるだけで、部品点数を増加させることなく極めて多数の区画を形成することができる。
【００１３】
このとき、前記第１仕切組立部１の第２横仕切片７と前記第３仕切組立部３の第２横仕切片７との境界、及び前記第２仕切組立部２の第２横仕切片７と前記第４仕切組立部４の第２横仕切片７との境界に沿って折畳用折目線２７を設けることが好ましい。
【００１４】
本発明の仕切体を折畳用折目線２７を介して折り畳むときには、先ず、第１〜第４仕切組立部１，２，３，４を組立てた状態とし、且つ、前記折返線２６による折り返しを行わない状態とする。次いで、折畳用折目線２７を介して前記第１仕切組立部１の第２横仕切片７と前記第３仕切組立部３の第２横仕切片７との外面同士を重合させる方向に折り曲げ、同時に、前記第２仕切組立部２の第２横仕切片７と前記第４仕切組立部４の第２横仕切片７との外面同士を重合させる方向に折り曲げる。即ち、折畳用折目線２７を谷折に折り曲げる。そして、折畳用折目線２７を谷折に伴い、第１仕切組立部１及び第２仕切組立部２の各横仕切板５，１３，２３同士を互いに重合させる方向に倒し、第３仕切組立部３及び第４仕切組立部４の各横仕切板５，１３，２３同士を互いに重合させる方向に倒す。これにより、第１〜第４仕切組立部１，２，３，４を組立てた状態で、展開することなく仕切体を扁平に折り畳むことができ、組立後の保管スペース等を小として使い勝手を向上させることができる。
【００１５】
また、本発明においては、組立状態で少なくとも下方に位置する前記各縦仕切板９ｂ，１７ｂ及び前記各縦仕切片１０ｂ，１１ｂ，１８ｂ，１９ｂの夫々の上縁に、大略Ｖ字状の切欠き２８を形成することが好ましい。
【００１６】
本発明の仕切体は、各縦仕切板及び前記各縦仕切片が上下一対ずつ設けられる。これにより、特に、円柱状の物品を仕切区画内に収納するときに、該物品の円形の底縁の一部が下方に位置する各縦仕切板９ｂ，１７ｂ及び各縦仕切片１０ｂ，１１ｂ，１８ｂ，１９ｂの上縁に引っ掛かるおそれがある。そこで、各縦仕切板９ｂ，１７ｂ及び各縦仕切片１０ｂ，１１ｂ，１８ｂ，１９ｂの上縁に、大略Ｖ字状の切欠き２８を形成しておくことにより、物品の円形の底縁の一部が各縦仕切板９ｂ，１７ｂ及び各縦仕切片１０ｂ，１１ｂ，１８ｂ，１９ｂの上縁に当接しても、物品の底縁が切欠き２８により収納方向に案内されるので、物品の引っ掛かりが確実に防止され、収納作業を円滑に行うことができる。
【発明を実施するための最良の形態】
【００１７】
先ず、本発明の第１の実施形態について、図１〜図７を参照して説明する。図１は第１の実施形態の仕切体の組立状態を示す説明的斜視図、図２は図１の仕切体の展開図、図３（ａ）及び図３（ｂ）は図２の展開状態からの組立工程を示す説明図、図４（ａ）及び図４（ｂ）は図３に続く組立工程を示す説明図、図５は図１の仕切体の平面図、図６（ａ）乃及び６（ｂ）は物品収納時の作用を示す要部の説明図、図７（ａ）及び図７（ｂ）は図１の仕切体の折り畳み工程を示す説明図である。
【００１８】
第１の実施形態の仕切体Ａは、図１に示すように組立てられた状態で図示しない箱内に収められ、箱内に３０の区画を形成するものである。各区画内には柱状の物品が一つずつ収納され、これによって物品同士の接触が防止される。仕切体Ａは、図２に示すように打抜き形成された一枚の大略矩形状の段ボール板紙から形成される。即ち、板紙は、図２に示すように、第１仕切組立部１、第２仕切組立部２、第３仕切組立部３、及び第４仕切組立部４からなっている。
【００１９】
第１仕切組立部１は、第１横仕切板５を備え、第１横仕切板５の右側縁には第１横仕切片６が連設され、第１横仕切板５の左側縁には第２横仕切片７が連設されている。
【００２０】
第１横仕切板５と第１横仕切片６との境界位置の上下（第１横仕切板５の右側縁の上端部と下端部）には一対の第１折目線８ａ，８ｂを介して上下一対の第１縦仕切板９ａ，９ｂが連設されている。夫々の第１縦仕切板９ａ，９ｂの右側縁には第１縦仕切片１０ａ，１０ｂが連設され、夫々の第１縦仕切板９ａ，９ｂの左側縁には第２縦仕切片１１ａ，１１ｂが連設されている。
【００２１】
第２縦仕切片１１ａ，１１ｂは、第１横仕切板５の上下縁に沿って突出する形状に設けられているが、実際には、打抜きにより第１横仕切板５の上下縁に沿って切れ目を入れることで形成されている。第１縦仕切板９ａ，９ｂも同様に、打抜きにより第１横仕切片６の上下縁に沿って切れ目を入れることで形成されている。
【００２２】
両第１縦仕切片１０ａ，１０ｂの夫々の右側縁には第２折目線１２ａ，１２ｂを介して第２横仕切板１３が連設されている。第２折目線１２ａ，１２ｂは両第１縦仕切片１０ａ，１０ｂの夫々の右側縁の位置に対応して第２横仕切板１３の左側縁の上端部と下端部とに形成されている。
【００２３】
第２横仕切板１３の右側縁には第３横仕切片１４が連設されており、第２横仕切板１３の左側縁には第４横仕切片１５が連設されている。第４横仕切片１５は、第２横仕切板１３の左側縁の上下の第２折目線１２ａ，１２ｂの間から上下の第１縦仕切片１０ａ，１０ｂの間に突出するように設けられている。第４横仕切片１５を形成するとき、実際には、打抜きにより第４横仕切片１５の上下縁に沿って切れ目を入れる。これによって、第４横仕切片１５と両第１縦仕切片１０ａ，１０ｂとが互いに対応する形状に形成される。
【００２４】
第２横仕切板１３の右側縁には、第３横仕切片１４との境界位置に沿ったその上下に一対の第３折目線１６ａ，１６ｂを介して上下一対の第２縦仕切板１７ａ，１７ｂが連設されている。夫々の第２縦仕切板１７ａ，１７ｂの右側縁には第３縦仕切片１８ａ，１８ｂが連設され、更に、夫々の第３縦仕切片１８ａ，１８ｂの右側縁には第４縦仕切片１９ａ，１９ｂが連設されている。上方に位置する第３縦仕切片１８ａと第４縦仕切片１９ａとの境界下端部には第１凹部２０が形成されており、前記第１横仕切板５と前記第２横仕切片７との境界上端部に形成された第２凹部２１に係合するようになっている。また、下方に位置する第３縦仕切片１８ｂと第４縦仕切片１９ｂとの境界上端部には第１凹部２０が形成されており、前記第１横仕切板５と前記第２横仕切片７との境界下端部に形成された第２凹部２１に係合するようになっている。
【００２５】
両第２縦仕切板１７ａ，１７ｂの右側縁の内側には、一対の第４折目線２２ａ，２２ｂを介して第３横仕切板２３が連設されている。第３横仕切板２３の右側縁には第５横仕切片２４が連設され、第３横仕切板２３の左側縁には第６横仕切片２５が連設されている。第３横仕切板２３は上下の第３縦仕切片１８ａ，１８ｂの間に位置し、第５横仕切片２４は上下の第４縦仕切片１９ａ，１９ｂの間に位置し、更に、第６横仕切片２５は上下の第２縦仕切板１７ａ，１７ｂの間に位置している。前記第３横仕切片１４を含め、第３横仕切板２３、第５横仕切片２４、及び、第６横仕切片２５は、実際には、打抜きによりその上下縁に沿って切れ目が設けられることによって、第２縦仕切板１７ａ，１７ｂ、第３縦仕切片１８ａ，１８ｂ、及び第４縦仕切片１９ａ，１９ｂと同時に形成される。
【００２６】
また、第３横仕切板２３と第５横仕切片２４との境界はその上下端部がくびれた形状に形成されており、後述するように第５横仕切片２４を第１縦仕切片１０ａ，１０ｂの間を貫通させた後には、第３横仕切板２３と第５横仕切片２４との境界の上下端部が、第１縦仕切板９ａ，９ｂと第１縦仕切片１０ａ，１０ｂとの境界の段差に当接し、第４折目線２２ａ，２２ｂの復元弾性によりその当接状態が維持されるようになっている。
【００２７】
第１仕切組立部１は、以上のような構成を備えているが、第２仕切組立部２は、図２に示すように、第１仕切組立部１に対して上下対称（線対称）であり、第１仕切組立部１を構成する各部の上下が逆になる位置関係に形成されている。また、第３仕切組立部３は、第１仕切組立部１に対して左右対称（線対称）であり、第１仕切組立部１を構成する各部の左右が逆になる位置関係に形成されている。そして、第４仕切組立部４は、第２仕切組立部２に対して左右対称（線対称）であると同時に、第３仕切組立部３に対して上下対称（線対称）に形成されている（即ち、第４仕切組立部４は、第１仕切組立部１に対して点対称に形成されている）。なお、図１乃至図７においては、第１仕切組立部１に対応する第２〜第４仕切組立部４の各部に同一の符号を付している。
【００２８】
そして、図２に示すように、第１仕切組立部１の第２横仕切板１３と第２仕切組立部２の第２横仕切板１３とは互いに折返線２６を介して連設され、第１仕切組立部１の第２横仕切片７と第３仕切組立部３の第２横仕切片７とは互いに折畳用折目線２７を介して連設されている。同じように、第３仕切組立部３の第２横仕切板１３と第４仕切組立部４の第２横仕切板１３とは互いに折返線２６を介して連設され、第２仕切組立部２の第２横仕切片７と第４仕切組立部４の第２横仕切片７とは互いに折畳用折目線２７を介して連設されている。
【００２９】
図２に示す展開状態では以上のように構成された仕切体Ａは、次のようにして組立てられる。なお、第１〜第４仕切組立部１，２，３，４は全て同様な組立作業が行われるが、特に、第１仕切組立部１と第２仕切組立部２とは、それらの第２横仕切片７が一体に連設されていることにより同時に組立てられ、第３仕切組立部３と第４仕切組立部４とは、それらの第２横仕切片７が一体に連設されていることにより同時に組立てられる。
【００３０】
先ず、図３（ａ）に示すように、第１折目線８ａ，８ｂ、第２折目線１２ａ，１２ｂ、第３折目線１６ａ，１６ｂ、及び第４折目線２２ａ，２２ｂを同じ方向に折り曲げる。これにより、第１縦仕切板９ａ，９ｂ及び第２縦仕切板１７ａ，１７ｂが第１横仕切片６及び第１横仕切板５から交差する方向に遊離し、第４横仕切片１５が第１縦仕切片１０ａ，１０ｂから交差する方向に遊離し、更に、第２縦仕切板１７ａ，１７ｂが第３横仕切片１４から遊離すると共に、第３横仕切板２３及び第６横仕切片２５が第３縦仕切片１８ａ，１８ｂ及び第２縦仕切板１７ａ，１７ｂから交差する方向に遊離する。
【００３１】
次いで、図３（ｂ）に示すように、第４横仕切片１５が遊離したことによって開放された上下の第１縦仕切片１０ａ，１０ｂの間に第５横仕切片２４を挿通させる。この作業は、第４折目線２２ａ，２２ｂを一旦鋭角に折り曲げることにより容易に行える。続いて、上下の第４縦仕切片１９ａ，１９ｂにより第１横仕切板５と第２横仕切片７との境界部分を挟み込むように交差させて、第１凹部２０と第２凹部２１と（図２参照）を相互に係合させる。これにより、第１仕切組立部１の第３横仕切片１４と第３仕切組立部３の第３横仕切片１４とが突き当たり、第１仕切組立部１の第６横仕切片２５と第３仕切組立部３の第６横仕切片２５とが突き当たって、図３（ｃ）に示すように、区画数が１５に形成される。このとき、第２仕切組立部２と第４仕切組立部４とは、第１仕切組立部１と第３仕切組立部３の下方に一致する形で１５の区画を形成している。また、第１縦仕切片１０ａ，１０ｂの間を貫通した第５横仕切片２４は、第４折目線２２ａ，２２ｂの復元弾性により第１横仕切板５に向かう方向に付勢される。そして、第３横仕切板２３と第５横仕切片２４との境界の上下端部が、第１縦仕切板９ａ，９ｂと第１縦仕切片１０ａ，１０ｂとの境界の段差に当接し、その当接状態が第４折目線２２ａ，２２ｂの復元弾性により維持される。
【００３２】
続いて、図４（ａ）に示すように、第１仕切組立部１の第２横仕切板１３と第２仕切組立部２の第２横仕切板１３との境界の折返線２６及び第３仕切組立部３の第２横仕切板１３と第４仕切組立部４の第２横仕切板１３との境界の折返線２６を介して折返し、図４（ｂ）に示すように、第１仕切組立部１の第２横仕切板１３と第２仕切組立部２の第２横仕切板１３とを重合させ、第３仕切組立部３の第２横仕切板１３と第４仕切組立部４の第２横仕切板１３とを重合させる。
【００３３】
これによって、上下方向に一致していた第１仕切組立部１及び第３仕切組立部３からなる１５区画と第２仕切組立部２及び第４仕切組立部４からなる１５区画とが展開され、図５に示すように３０の区画数を有する仕切体Ａの組立が完了する。
【００３４】
このように、本実施形態によれば、一枚の段ボール板紙を折り曲げ組み立てるだけで、３０の区画を有する仕切体Ａを形成することができるので、部品点数を増加させることなく材料コストを低減できると共に組立作業を容易とすることができる。
【００３５】
また、図１及び図２に示すように、下側に位置する各縦仕切板９ｂ，１７ｂ及び各縦仕切片１０ｂ，１１ｂ，１８ｂ，１９ｂの上縁部に略Ｖ字状の切欠き２８を設けておくことにより、円筒状の物品を各区画内に収納する際に、その収納作業を円滑に行うことができる。即ち、図６（ａ）に側面視して示すが、物品Ｗを各区画内に収納する際に、各区画の上側に位置する第２縦仕切片１１ａと第４縦仕切片１９ａとの間、及び第４縦仕切片１９ａ同士の間（又は、図５を参照して第１縦仕切板９ａと第３縦仕切片１８ａとの間や第１縦仕切片１０ａと第２縦仕切板１７ａとの間等でも同様である）を通過するときに物品Ｗが僅かに傾くと、下側に位置する第２縦仕切片１１ｂや第４縦仕切片１９ｂの上縁（又は、図２を参照して第１、第２縦仕切板９ｂ，１７ｂや第１、第３縦仕切片１０ｂ，１８ｂの上縁でも同様である）に物品Ｗの円形の底部周縁の一部が引っ掛かることが考えられる。このとき、下側に位置する各縦仕切板９ｂ，１７ｂ及び各縦仕切片１０ｂ，１１ｂ，１８ｂ，１９ｂの上縁部に略Ｖ字状の切欠き２８が設けられていることで、図６（ｂ）に一部を示すように、物品Ｗの円形の底部周縁の一部が切欠き２８の傾斜により案内され、区画内に円滑に収納される。
【００３６】
また、仕切体Ａは、図１に示すように、３０の区画が形成されていることにより、組立状態では嵩張る場合がある。そこで、仕切体Ａは、図２に示すように、第１仕切組立部１の第２横仕切片７と第３仕切組立部３の第２横仕切片７との間、及び、第２仕切組立部２の第２横仕切片７と第４仕切組立部４の第２横仕切片７との間に折畳用折目線２７を設けて折り畳むことができるようになっている。即ち、図１に示す状態から仕切体Ａを折り畳むときには、折返線２６を介して、第１仕切組立部１の第２横仕切板１３と第２仕切組立部２の第２横仕切板１３との重合と、第３仕切組立部３の第２横仕切板１３と第４仕切組立部４の第２横仕切板１３との重合を解除する。これにより、仕切体Ａは、図３（ｂ）に示す状態となる。次いで、図７（ａ）に示すように、折畳用折目線２７を介して、第１仕切組立部１の第２横仕切片７と第３仕切組立部３の第２横仕切片７とを重合させる方向に折り曲げ、同時に、第２仕切組立部２の第２横仕切片７と第４仕切組立部４の第２横仕切片７とを重合させる方向に折り曲げる。そして、各横仕切板５，１３，２３、各横仕切片６，７，１４，１５，２４，２５、各縦仕切板９ａ，９ｂ，１７ａ，１７ｂ、及び縦仕切片１０ａ，１０ｂ，１１ａ，１１ｂ，１８ａ，１８ｂを互いに接近する方向に収束させる。こうすることにより、第１〜第４仕切組立部１，２，３，４がその組立状態を維持しながら扁平とされ、図７（ｂ）に示すように扁平な折り畳み状態とすることができる。
【００３７】
次に、本発明の第２の実施形態の仕切体Ｂについて、図８及び図９を参照して説明する。図８は第２の実施形態の仕切体の展開図、図９は図８の仕切体の組立状態の平面図である。なお、第２実施形態において前述した第１実施形態と同様の構成部分には図８及び図９において同一の符号を付す。
【００３８】
第２実施形態の仕切体Ｂは、図８に展開して示すように、前述した図２示の第１実施形態の仕切体Ａにおける第１仕切組立部１及び第２仕切組立部２と同様の構成を備えるが、第１実施形態の仕切体Ａにおける第３仕切組立部３及び第４仕切組立部４を備えていない。即ち、第２実施形態の仕切体Ｂは、図８に示すように、第１仕切組立部１と第２仕切組立部２とが上下対称に形成され、第１仕切組立部１の第２横仕切板１３と、第２仕切組立部２の第２横仕切板１３とが折返線２６を介して互いに連設されている。また、仕切体Ｂの組立手順も、第１仕切組立部１及び第２仕切組立部２について、第１実施形態の仕切体Ａと同様である。即ち、第１仕切組立部１及び第２仕切組立部２を組立てた後に、折返線２６を介して第１仕切組立部１の第２横仕切板１３と、第２仕切組立部２の第２横仕切板１３とを互いに重合させる。
【００３９】
このように形成された第２実施形態の仕切体Ｂは、図９に示すように、区画数を１８とすることができ、第２実施形態の仕切体Ｂにおいても、一枚の段ボール板紙を一枚の段ボール板紙を折り曲げ組み立てるだけで形成することができるので、部品点数を増加させることなく材料コストを低減できると共に組立作業を容易とすることができる。
【００４０】
なお、上述の各実施形態においては仕切体Ａ，Ｂの材料として段ボール板紙を採用した例を挙げたが、仕切体Ａ，Ｂの材料はこれに限るものではなく、例えば、合成樹脂製の板材を採用することもできる。
【図面の簡単な説明】
【００４１】
【図１】本発明の第１の実施形態における仕切体の組立状態を示す説明的斜視図。
【図２】図２は図１の仕切体の展開図。
【図３】図２の展開状態からの組立工程を示す説明図。
【図４】図３に続く組立工程を示す説明図。
【図５】図１の仕切体の平面図。
【図６】物品収納時の作用を示す要部の説明図。
【図７】図１の仕切体の折り畳み工程を示す説明図。
【図８】本発明の第２の実施形態における仕切体の展開図。
【図９】図８の仕切体の組立状態の平面図。
【符号の説明】
【００４２】
Ａ，Ｂ…仕切体、１…第１仕切組立部、２…第２仕切組立部、３…第３仕切組立部、４…第４仕切組立部、５…第１横仕切板、６…第１横仕切片、７…第２横仕切片、８ａ，８ｂ…第１折目線、９ａ，９ｂ…第１縦仕切板、１０ａ，１０ｂ…第１縦仕切片、１１ａ，１１ｂ…第２縦仕切片、１２ａ，１２ｂ…第２折目線、１３…第２横仕切板、１４…第３横仕切片、１５…第４横仕切片、１６ａ，１６ｂ…第３折目線、１７ａ，１７ｂ…第２縦仕切板、１８ａ，１８ｂ…第３縦仕切片、１９ａ，１９ｂ…第４縦仕切片、２２ａ，２２ｂ…第４折目線、２３…第３横仕切板、２４…第５横仕切片、２５…第６横仕切片、２６…折返線、２７…折畳用折目線、２８…切欠き。
【図１】
2007197017.tif 000003
【図２】
2007197017.tif 000004
【図３】
2007197017.tif 000005
【図４】
2007197017.tif 000006
【図５】
2007197017.tif 000007
【図６】
2007197017.tif 000008
【図７】
2007197017.tif 000009
【図８】
2007197017.tif 000010
【図９】
2007197017.tif 000011